(57)【要約】  本発明は、外輪部材とコイルバネとを設けた逆入力遮断クラッチにおいて、焼結部材製の外輪部材とコイルバネの摩擦摺動による振動の発生を抑制することを目的とする。  逆入力遮断クラッチは、出力軸（１３）から逆入力が作用した場合は、転動部材（１７）を外輪部材（１４）の内壁に食い込ませてロック状態とするものであるが、本発明の逆入力遮断クラッチでは、入力軸（１２）から出力軸（１３）を回転するときに、ロック状態のまま出力軸（１３）を外輪部材（１４）と一体的に回転させて断続的な回転を防止する。このとき、外輪部材（１４）がコイルバネ（１９）との間で摩擦摺動するが、本発明の外輪部材（１４）の外面には表面粗さを小さくする加工が施されているので、振動や騒音が発生しない。
2015137231.tif 000002
【特許請求の範囲】
【請求項１】
回転力が入力される入力軸と、
回転力を出力する出力軸と、
前記入力軸に入力が与えられると前記出力軸にその入力の伝達を許可し、前記出力軸から逆入力が与えられると前記入力軸にその逆入力の伝達を阻止する伝達機構部と、
前記伝達機構部を収容する固定されたハウジング部材と、を備える逆入力遮断クラッチであって、
前記伝達機構部には、焼結部材で円筒状に成形され、前記ハウジングに回転可能に支持される外輪部材が設けられるとともに、前記外輪部材を取り巻いてその外周面に接触し、前記ハウジング部材に端部が係止されるコイルバネが設けられ、かつ、前記外輪部材の外周面には、表面粗さを小さくする表面加工が施されており、
前記伝達機構部は、前記出力軸からの逆入力の伝達を阻止している状態で、前記出力軸の逆入力と同方向の入力が前記出力軸に与えられたときは、その入力により、前記外輪部材を前記コイルバネの摩擦力に打ち勝って回転させて、前記出力軸を前記外輪部材と一体的に回転させる一方、前記出力軸の逆入力と逆方向の入力が前記入力軸に与えられたときは、その入力により、前記出力軸を前記入力軸から直接的に回転させることを特徴とする逆入力遮断クラッチ。
【請求項２】
表面粗さを小さくする前記表面加工は、ラップ加工である請求項１に記載の逆入力遮断クラッチ。
【請求項３】
表面粗さを小さくする前記表面加工は、バレル加工である請求項１に記載の逆入力遮断クラッチ。
【請求項４】
前記外輪部材の外周面と前記コイルバネとの接触面に、４０℃における動粘度が９０cst以下の直鎖系フッ素グリスが塗布されている請求項１乃至請求項３のいずれかに記載の逆入力遮断クラッチ。
【発明の詳細な説明】
【技術分野】
【０００１】
本発明は、入力軸からの入力は出力軸に伝達され、出力軸からの逆入力は入力軸に伝達されない逆入力遮断クラッチに関する。
【背景技術】
【０００２】
逆入力遮断クラッチは、入力軸からの双方向の駆動力は出力軸に伝達するが、出力軸からの回転力は入力軸への伝達を阻止するものである。出力軸からの回転力（出力軸の逆入力）を阻止する機能は、逆入力遮断クラッチの伝達機構に設けられたローラが、出力軸の出力係合片と逆入力遮断クラッチの外輪部材との間に食い込んでロック状態となることで達成される。【０００３】
このような逆入力遮断クラッチを組み込んだ製品、例えば、パチンコのような遊戯機にあっては、出力軸に「役物」と呼ばれる棒状の負荷を結合し、入力軸からこの負荷を駆動して、出力軸を中心にして搖動させたり、あるいは上下に移動させたりする場合がある。このような作動を行う逆入力遮断クラッチでは、出力軸に逆入力が加えられ、その出力軸からの逆入力が入力軸に伝達されないように阻止した状態で、出力軸に働く逆入力の方向と同一の入力が入力軸に加えられた場合、本来なら入力軸の入力を連続的に出力軸に伝達しなければならないのに、入力軸の入力の出力軸への伝達が断続することがある。【０００４】
例えば、出力軸に上下に移動する負荷が結合されている場合、出力軸には常時負荷の重量による下方向の荷重がかかるので、出力軸に加えられる逆入力の方向は下方向である。この状態で、入力軸により負荷を下方向に移動するよう駆動するとき、つまり、入力軸に加えられる入力の方向が出力軸に働く逆入力の方向と同一の場合には、入力軸及び出力軸のそれぞれに働く力は下向きであり同方向である。【０００５】
入力軸に下向きの駆動力が加えられると、その入力によりローラのロック状態が解除され、出力軸が入力軸とともに回転する。しかし、出力軸に作用する下方向の負荷荷重が大きいときは、出力軸が入力軸よりも速く回転する結果、ローラが出力係合片と外輪部材との間に再び食い込んでロック状態となり、出力軸が停止することがある。その後、入力軸が停止中の出力軸に追い付いてローラを押すと、ロックが解除されて出力軸と負荷とが移動するが、この動作の繰り返しにより、逆入力遮断クラッチを介在させて負荷を駆動するときは、負荷が連続的に駆動されずに負荷の下方向への動きが断続してしまう。【０００６】
そこで、外輪部材を固定のハウジング内に回転可能に設置するとともに、外輪部材の外面に摩擦力を及ぼすコイルバネを設置して、この断続動作を防止するようにした逆入力遮断クラッチが知られている（例えば、特許文献１参照）。特許文献１のものでは、出力軸に下向きの負荷荷重によるトルク（逆入力）が作用しても、そのトルクのみでは、ローラが出力係合片と外輪部材との間に食い込むロック状態が解除しないように構成される。出力軸の逆入力と同方向の入力トルクが入力軸に与えられたときには、合算されたトルクによりコイルバネの摩擦力に打ち勝って外輪部材を回転させ、出力軸を外輪部材と一体的に回転させる。一方、出力軸の逆入力と逆方向の入力トルクが入力軸に与えられたときは、その入力トルクを直接的に出力軸に伝達し、これを回転するようにしている。
【先行技術文献】
【特許文献】
【０００７】
【特許文献１】特開２０１３−１４２４４３
【発明の概要】
【発明が解決しようとする課題】
【０００８】
特許文献１の逆入力遮断クラッチでは、出力軸からの逆入力の伝達を阻止している状態において、出力軸の逆入力と同方向の入力が入力軸に与えられたとき、つまり、負荷荷重により出力軸が回転しようとする方向と同方向に入力軸が回転したときであっても、断続動作することなく、連続的に入力軸の入力（回転）を出力軸に伝達できる。しかし、このとき外輪部材はコイルバネに対して摩擦摺動を行うため、振動が発生し異常音が発生することがある。【０００９】
これは、コイルバネと接触する外輪部材が焼結部品であり、外輪部材の表面粗さは、ポーラス（多孔質）な焼結部品に存在する無数の細孔の影響により比較的粗い状態であるためである。つまり、表面粗さの粗い外輪部材の外周面がコイルバネと摩擦摺動することにより、振動が発生し、異常音の発生に繋がっている。【００１０】
本発明の目的は、表面粗さの粗い外輪部材とコイルバネの摩擦摺動に伴う振動の発生を抑制でき、異常音の発生を抑制できる逆入力遮断クラッチを提供することである。
【課題を解決するための手段】
【００１１】
本発明に係る逆入力遮断クラッチは、
「回転力が入力される入力軸と、
回転力を出力する出力軸と、
前記入力軸に入力が与えられると前記出力軸にその入力の伝達を許可し、前記出力軸から逆入力が与えられると前記入力軸にその逆入力の伝達を阻止する伝達機構部と、
前記伝達機構部を収容する固定されたハウジング部材と、を備える逆入力遮断クラッチであって、
前記伝達機構部には、焼結部材で円筒状に成形され、前記ハウジングに回転可能に支持される外輪部材が設けられるとともに、前記外輪部材を取り巻いてその外周面に接触し、前記ハウジング部材に端部が係止されるコイルバネが設けられ、かつ、前記外輪部材の外周面には、表面粗さを小さくする表面加工が施されており、
前記伝達機構部は、前記出力軸からの逆入力の伝達を阻止している状態で、前記出力軸の逆入力と同方向の入力が前記出力軸に与えられたときは、その入力により、前記外輪部材を前記コイルバネの摩擦力に打ち勝って回転させて、前記出力軸を前記外輪部材と一体的に回転させる一方、前記出力軸の逆入力と逆方向の入力が前記入力軸に与えられたときは、その入力により、前記出力軸を前記入力軸から直接的に回転させる」
ことを特徴とする。
【発明の効果】
【００１２】
本発明によれば、焼結部材で円筒状に成形された外輪部材の外周面は、表面粗さを小さくする表面加工を施して形成されるので、外輪部材の表面状態を平滑化できる。従って、外輪部材とコイルバネの摩擦摺動による振動の発生を抑制でき、異常音の発生を抑制できる。また、外輪部材の外面と前記コイルバネとの接触面に直鎖系フッ素グリスを塗布した場合には、外輪部材とコイルバネとの耐摩耗性を改善でき、外輪部材の耐久性を向上できるようになる。
【図面の簡単な説明】
【００１３】
【図１】本発明の実施形態に係る逆入植遮断クラッチの一例を示す説明図。
【図２】本発明の実施形態に係る逆入力遮断クラッチ１１の動作説明図。
【図３】外輪部材の表面粗さのグラフ。
【図４】潤滑油を変更したときの外輪部材１４の耐久性と潤滑油の基油動粘度との関係を示すグラフ。
【発明を実施するための形態】
【００１４】
以下、本発明の実施形態を説明する。図１は本発明の実施形態に係る逆入力遮断クラッチの一例を示す説明図であり、図１（ａ）は構成図、図１（ｂ）は、入力軸１２に結合される入力部材１２Ａの斜視図、図１（ｃ）は出力軸１３の斜視図である。図１（ａ）では上半分を断面図で示している。
【００１５】
逆入力遮断クラッチ１１は、入力軸１２（図１の実施形態では、入力部材１２Ａの中央孔に相対回転不能に嵌め込まれる）に入力される正転方向及び逆転方向の双方向の回転力を出力軸１３に伝達するものであり、入力軸１２からの双方向の回転力は出力軸１３に伝達するが、出力軸１３からの回転力は入力軸１２に伝達しない。固定のハウジング部材２０には、この機能を達成するための伝達機構部が収納され、伝達機構部は、ハウジング部材２０内に回転可能に支持された円筒状の外輪部材１４を備えている。ハウジング部材２０の入力軸１２側には入力側シールド部材１５が設けられ、出力軸１３側には出力側シールド部材１６が形成されている。
【００１６】
また、伝達機構部は、入力軸１２に結合する入力部材１２Ａと、出力軸１３に設けられた出力部材１３Ａと、外輪部材１４の内面と当接する転動部材１７と、転動部材１７を軸方向に押圧し転動部材１７の動きを制動する制動部材１８とを有し、これらは、外輪部材１４の内部に収容される。制動部材１８はウェーブワッシャと平ワッシャとを組み合わせたものであり、転動部材１７を軸方向に押圧して転動部材１７の動きに対して軽い制動力を付与し、逆入力を遮断する際の出力係合部１３Ｂのロックやロック解除の動作を確実に行わせるようにしている。
【００１７】
外輪部材１４の外周面にはコイルバネ１９が巻回され、コイルバネ１９の端部はハウジング部材２０に係止される。コイルバネ１９は、外輪部材１４の外面と接触してこれに摩擦力を及ぼし、外輪部材１４に作用するトルクが所定値に達するまでは、外輪部材１４が回転しないように保持する。そのトルクの所定値は、この実施形態の逆入力遮断クラッチでは、下向きの負荷荷重により出力軸１３に与えられた逆入力のトルクよりも大きい値に設定されている。
【００１８】
これにより、出力軸１３からの逆入力を阻止している状態で、出力軸１３の逆入力と同方向の入力（トルク）が入力軸１２に与えられたときは、外輪部材１４に働くトルクが上記の所定値を超え、外輪部材１４はコイルバネ１９の摩擦力に抗して回転する。外輪部材１４の内部に設置された出力軸１３は、転動部材１７がロック状態であるので、外輪部材１４と一体に回転する。一方、出力軸１３からの逆入力を阻止している状態で、出力軸１３の逆入力と逆方向の入力が入力軸１２に与えられたときは、その入力を直接的に出力軸１３に伝達する（後述の図２の説明参照）。
このように、この実施形態の逆入力遮断クラッチでは、出力軸１２に下向きの負荷荷重による逆入力が作用しても、それのみではロック状態が解除しないため、負荷の断続的な下向き移動を防止できる。
【００１９】
本発明においては、外輪部材１４は、焼結部材で円筒状に成形され、浸炭処理等の熱処理を行った後に、外輪部材１４の外周面に表面粗さを小さくする表面加工が施される。これにより、外輪部材１４の表面状態を平滑化し、外輪部材１４とコイルバネ１９の摩擦摺動による振動の発生を抑制して異常音の発生を抑制するようにしている。表面粗さを小さくする表面加工としては、外輪部材１４の外周面を砥粒の散布されたラップ盤に擦り合せるラップ加工、又は、研磨用砥粒の混合された液体を収容したバレル内に複数の外輪部材１４を入れ、バレルに回転や振動を与えて研磨を行うバレル加工などを採用することができる。バレル加工を採用すると、多数の外輪部材１４の表面加工を同時に短時間で行うことが可能となる。
また、外輪部材１４の外面とコイルバネとの接触面に潤滑油として動粘度が所定値以下の直鎖系フッ素グリスを塗布することが好ましい。これらにより、外輪部材１４とコイルバネ１９との耐摩耗性を改善し、外輪部材１４の耐久性を向上させるとともに、振動の発生を抑制して異常音の発生を抑制できるようになる。外輪部材１４の表面加工やグリスの塗布の詳細については後述する。
【００２０】
入力軸１２に結合される入力部材１２Ａには、図１（ｂ）に示すように、複数の入力係合部１２Ｂが設けられている。出力軸１３は、図１（ｃ）に示すように、出力部材１３Ａを有し、この出力部材１３Ａには複数の出力係合部１３Ｂが設けられている。入力部材１２Ａと出力軸１３とは、複数の入力係合部１２Ｂと複数の出力係合部１３Ｂとが互い違いに嵌合し（これらの詳細な断面形状については図２を参照）、入力部材１２Ａの平面部と出力部材１３Ａの平面部とがフラット面接触状態で当接する。
【００２１】
ここで、本発明の実施形態に係る逆入力遮断クラッチ１１の動作について、図２により詳細に説明する。図２（ａ）は、入力軸１２にも出力軸１３にも回転力が加わっていない静止状態のときの転動部材１７、入力係合部１２Ｂ、出力係合部１３Ｂの位置関係の説明図である。また、図２（ｂ）は、出力軸１３に時計方向の回転力が加わった状態のときの位置関係の説明図、図２（ｃ）は、出力軸１３に時計方向の回転力が加わり出力軸１３からの逆入力を阻止している状態で、出力軸１３の逆入力と同方向（時計方向）の入力が出力軸１２に与えられたときの位置関係の説明図、図２（ｄ）及び図２（ｅ）は、出力軸１３に時計方向の回転力が加わり出力軸１３からの逆入力を阻止している状態で、出力軸１３の逆入力と逆方向（反時計方向）の入力が入力軸１２に与えられたときの位置関係の説明図である。
【００２２】
図２（ａ）に示すように、入力軸１２にも出力軸１３にも回転力が加わっていない静止状態のときは、転動部材１７は出力係合部１３Ｂのほぼ中央に位置する。また、出力係合部１３Ｂには転動部材１７が僅かな距離を保って対面し、転動部材１７は外輪部材１４の内壁面２１に僅かな間隔を保って対面している。
【００２３】
入力係合部１２Ｂの、転動部材１７及び出力係合部１３Ｂと接する側面は左右非対称に形成されている。すなわち、入力係合部１２Ｂが時計方向に回転したときには、転動部材１７及び出力係合部１３Ｂと接する側面は、図２（ａ）の左側の入力係合部１２Ｂに示すように、転動部材１７より先に出力係合部１３Ｂに接する。一方、入力係合部１２Ｂが反時計方向に回転したときには、転動部材１７及び出力係合部１３Ｂと接する側面は、図２（ａ）の右側の入力係合部１２Ｂに示すように、出力係合部１３Ｂより先に転動部材１７に接する。
【００２４】
いま、図２（ａ）の静止状態から出力軸１３に時計方向の回転力が加わったとすると、図２（ｂ）に示すように、出力係合部１３Ｂには右矢印方向に回転力がかかり、出力係合部１３Ｂは右矢印方向に動く。出力係合部１３Ｂは一定回転範囲（隣り合う入力係合部１２Ｂの間隔）では自由かつ円滑に独立動作するので、入力係合部１２Ｂは動作しない。従って、出力係合部１３Ｂが右矢印方向に動くのに伴い、転動部材１７は出力係合部１３Ｂの左側斜面により上方に押し上げられるようになる（このとき、図１の制動部材１８は、転動部材１７が出力係合部１３Ｂと一体的に移動するのを防止して、押し上げを確実に行わせる）。そして、出力係合部１３Ｂと外輪部材１４の内壁面２１との間隙が狭くなり、転動部材１７は出力係合部１３Ｂと外輪部材１４の内壁面２１との間に食い込みロック状態となる。このようにして、出力軸１３に加えられた回転力は阻止され、入力軸１２に伝達されない（外輪部材１４にはコイルバネ１９の摩擦力が作用していて、外輪部材１４を拘束するトルクが、下向きの負荷荷重により出力軸１３に与えられた逆入力のトルクよりも大きい値に設定してあるため、外輪部材１４が回転することはない）。
【００２５】
図２（ｂ）のロック状態から入力軸１２に時計方向の回転力が加わったとすると、図２（ｃ）に示すように、入力係合部１２Ｂが右矢印方向に回動して、入力係合部１２Ｂの側面は出力係合部１３Ｂの側面に先に当接する。転動部材１７が入力係合部１２Ｂに押されてロックが外れることはなく、従って、転動部材１７による出力係合部１３Ｂと外輪部材１４の内壁面２１とのロック状態を維持した状態で出力係合部１３Ｂを駆動する。このとき、外輪部材１４には、出力軸１３の逆入力のトルクと入力軸１２のトルクが合算されて作用し、外輪部材１４は出力係合部１３Ｂとともにコイルバネ１９の摩擦力に打ち勝って回転する。これにより、入力軸１２の入力を出力軸１３に伝達する。
【００２６】
つまり、図２（ｂ）のロック状態から入力軸１２が時計方向に回転すれば、出力軸１３は入力軸１２と一緒に回転し、入力軸１２に加わる回転力は出力軸１３に伝達される。この場合、外輪部材１４に加わる回転力はコイルバネ１９の摩擦力に打ち勝たなければならないが、出力軸１３には負荷の荷重が入力軸１２に加わる回転力と同じ方向の時計方向に加わっているので、入力軸１２から出力軸１３に伝達する回転力には余分な大きな回転力を必要としない。
【００２７】
図２（ｃ）では、図２（ｂ）のロック状態から入力軸１２に時計方向の回転力が加わった場合について説明したが、図２（ａ）の静止状態（出力軸１３に逆入力のトルクが作用していない状態）から入力軸１２に時計方向の回転力が加わった場合も、図２（ｃ）の場合と同様に、出力軸１３は入力軸１２と一緒に回転し、入力軸１２に加わる回転力は出力軸１３に伝達される。
【００２８】
すなわち、図２（ａ）の静止状態から入力軸１２に時計方向の回転力が加わると、図２（ａ）の左側の入力係合部１２Ｂが転動部材１７より先に出力係合部１３Ｂに接するので、出力係合部１３Ｂは転動部材１７を上方に押し上げ、転動部材１７は出力係合部１３Ｂと外輪部材１４の内壁面２１との間に食い込みロック状態となる。この状態は、図２（ｃ）の状態と基本的に同じである。つまり、図２（ａ）の静止状態から入力軸１２に時計方向の回転力が加わった場合は、入力軸１２の回転力により図２（ｃ）の状態となって、その後に、図２（ｃ）の場合と同様に、出力軸１３は、入力軸１２及び外輪部材１４と一緒に回転し、入力軸１２に加わる回転力は出力軸１３に伝達される。
【００２９】
一方、図２（ｂ）のロック状態から入力軸１２に反時計方向の回転力が加わったとすると、図２（ｄ）に示すように、入力係合部１２Ｂが左矢印方向に回動して、まず、入力係合部１２Ｂの側面が出力係合部１３Ｂの側面に当接することにより、出力係合部１３Ｂを反時計方向に移動して転動部材１７を両斜面の中央部に位置させ、外輪部材１４の内壁面２１とのロック状態を解除する。次いで、図２（ｅ）に示すように、入力係合部１２Ｂの側面は転動部材１７の側面とも当接し、転動部材１７を両斜面の中央部の位置に保持して、ロック状態となるのを防止する。これにより、入力係合部１２Ｂは、出力係合部１３Ｂを押しながら、出力係合部１３Ｂを直接反時計方向に回転させる。この場合、出力係合部１３Ｂには負荷の荷重によるトルクが時計方向に作用しており、入力軸１２の反時計方向の回転力が負荷の荷重に打ち勝って入力軸１２の入力を出力軸１３に伝達する。
【００３０】
次に、本発明の実施形態における外輪部材１４の表面状態の平滑化について詳細に説明する。図３は外輪部材の表面粗さのグラフであり、図３（ａ）は、焼結部材で円筒状に成形され、浸炭処理後に、表面粗さを小さくする加工を施して形成した本発明の外輪部材の表面粗さのグラフ、図３（ｂ）は、焼結部材で円筒状に成形された後に、浸炭処理をしただけの従来の外輪部材の表面粗さのグラフである。
【００３１】
図３（ａ）、図３（ｂ）において、縦軸は外輪部材１４の表面の縦方向の距離をμｍで表示したもの、横軸は外輪部材１４の軸方向の距離をｍｍで表示したものである。この実施形態では、表面粗さを小さくする加工としてバレル加工が用いられており、焼結部材の外輪部材１４にバレル加工を施していない図３（ｂ）の算術平均粗さ（Ｒａ）が１．０２μｍであるのに対し、バレル加工を施した図３（ａ）の算術平均粗さは０．６４μｍであって、バレル加工を行うことにより明らかに表面粗さが改善されている。そして、バレル加工を施していない外輪部材１４は、逆入力遮断クラッチの作動中にコイルバネ１９との摩擦摺動による異常音が発生したのに対し、バレル加工を施した外輪部材１４では、異常音の発生がなかった。
【００３２】
外輪部材１４の外周面の状態を平滑化して表面粗さを小さくするには、バレル加工に代えてラップ加工等を採用することができる。また、コイルバネ１９との摩擦摺動に伴う振動や異音の発生を防止するには、加工後の算術平均粗さ（Ｒａ）が０．８μｍ以下であることが必要であり、好ましくは、０．６５μｍ以下に小さくするのがよい。
【００３３】
次に、潤滑油の変更による外輪部材１４の耐久性の向上について説明する。図４は、潤滑油を変更した場合の外輪部材１４の耐久性と潤滑油の基油動粘度との関係を示すグラフであり、縦軸は外輪部材１４の耐久性（回転回数）、横軸は温度が４０℃のときの潤滑油の基油動粘度である。縦軸の外輪部材１４の耐久性（回転回数）は、外輪部材１４として使用可能な状態を維持できる外輪部材１４の回転回数を示している。
【００３４】
図４の黒菱形は、潤滑油の基油として直鎖系フッ素グリスを採用した場合のデータであり、点Ａ１は直鎖系フッ素グリスの基油動粘度が２５cst（40℃）のときの回転回数、点Ａ２は直鎖系フッ素グリスの基油動粘度が９０cst（40℃）のときの回転回数、点Ａ３は直鎖系フッ素グリスの基油動粘度が１００cst（40℃）のときの回転回数、また、点Ａ４は直鎖系フッ素グリスの基油動粘度が１４０cst（40℃）のときの回転回数である。一方、図４の黒丸は、潤滑油の基油として直鎖系フッ素グリスと側鎖系フッ素グリスとの混合フッ素グリスを採用した場合のデータであり、点Ｂ１は混合フッ素グリスの基油動粘度が４５cst（40℃）のときの回転回数、点Ｂ２は混合フッ素グリスの基油動粘度が２００cst（40℃）のときの回転回数である。
【００３５】
直鎖系フッ素グリスの基油動粘度が２５cst（40℃）のときの外輪部材１４の回転回数は１５５０万回（Ａ１点）、直鎖系フッ素グリスの基油動粘度が９０cst（40℃）のときの外輪部材１４の回転回数は１１２８万回（Ａ２点）、直鎖系フッ素グリスの基油動粘度が１００cst（40℃）のときの外輪部材１４の回転回数は５００万回（Ａ３点）、直鎖系フッ素グリスの基油動粘度が１４０cst（40℃）のときの外輪部材１４の回転回数は３００万回（Ａ４点）である。また、混合フッ素グリスの基油動粘度が４５cst（40℃）のときの外輪部材１４の回転回数は８００万回（Ｂ１点）、混合フッ素グリスの基油動粘度が２００cst（40℃）のときの外輪部材１４の回転回数は２４０万回（Ｂ２点）である。
【００３６】
直鎖系フッ素グリス及び混合フッ素グリスのいずれの場合も、基油動粘度が小さいほど外輪部材１４の耐久性（回転回数）は向上する。また、直鎖系フッ素グリスと混合フッ素グリスと比較すると、直鎖系フッ素グリスの方が耐久性（回転回数）は向上する。そこで、本発明の逆入力遮断クラッチの潤滑油には、基油動粘度が所定値以下の直鎖系フッ素グリスを用いるのが好適である。具体的には基油動粘度が９０cst以下の直鎖系フッ素グリスを用いるのが適当であり、より好ましくは、基油動粘度が２５cst（40℃）が直鎖系フッ素グリスを用いるのが良い。
【００３７】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３８】
１１  逆入力遮断クラッチ、１２  入力軸、１３  出力軸、１４  外輪部材、１５  入力側シールド部材、１６  出力側シールド部材、１７  転動部材、１８  制動部材、１９  コイルバネ、２０  ハウジング部材、２１  内壁面
【図１】
2015137231.tif 000003
【図２】
2015137231.tif 000004
【図３】
2015137231.tif 000005
【図４】
2015137231.tif 000006
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
回転力が入力される入力軸と、
回転力を出力する出力軸と、
前記入力軸に入力が与えられると前記出力軸にその入力の伝達を許可し、前記出力軸から逆入力が与えられると前記入力軸にその逆入力の伝達を阻止する伝達機構部と、
前記伝達機構部を収容する固定されたハウジング部材と、を備える逆入力遮断クラッチであって、
前記伝達機構部には、焼結部材で円筒状に成形され、前記ハウジングに回転可能に支持される外輪部材が設けられるとともに、前記外輪部材を取り巻いてその外周面に接触し、前記ハウジング部材に端部が係止されるコイルバネが設けられ、かつ、前記外輪部材の外周面には、その表面粗さを算術平均粗さ（Ｒａ）において０．８μｍ以下とする表面加工が施され、
前記外輪部材の内部には、前記入力軸に結合された入力係合部と、前記出力軸に結合されて前記外輪部材の内周面と対向する斜面が形成された出力係合部と、前記出力係合部と前記外輪部材の内周面の間に配置された転動部材とが収容され、かつ、前記入力係合部の周方向の両側面は、一方が径方向内側に凸部を有していて前記出力係合部のみに当接可能であり、他方が径方向外側に凸部を有していて前記出力係合部及び前記転動部材に当接可能であるよう非対称に形成されており、
前記伝達機構部は、前記出力軸からの逆入力の伝達を阻止している状態で、前記出力軸の逆入力と同方向の入力が前記入力軸に与えられたときは、前記入力係合部の一方の側面が前記出力係合部に当接し、その入力により、前記転動部材と前記外輪部材とが当接したまま、前記外輪部材を前記コイルバネの摩擦力に打ち勝って回転させて、前記出力軸を前記外輪部材と一体的に回転させる一方、
前記出力軸の逆入力と逆方向の入力が前記入力軸に与えられたときは、前記入力係合部の他方の側面が前記出力係合部及び前記転動部材に当接し、前記転動部材と前記外輪部材との当接が解除されて、その入力により、前記出力軸を前記入力軸から直接的に回転させることを特徴とする逆入力遮断クラッチ。
【請求項２】
表面粗さを算術平均粗さ（Ｒａ）において０．８μｍ以下とする前記表面加工は、ラップ加工である請求項１に記載の逆入力遮断クラッチ。
【請求項３】
表面粗さを算術平均粗さ（Ｒａ）において０．８μｍ以下とする前記表面加工は、バレル加工である請求項１に記載の逆入力遮断クラッチ。
【請求項４】
前記外輪部材の外周面と前記コイルバネとの接触面に、４０℃における動粘度が９０cst以下の直鎖系フッ素グリスが塗布されている請求項１乃至請求項３のいずれかに記載の逆入力遮断クラッチ。
【手続補正２】
【補正対象書類名】明細書
【補正対象項目名】００１１
【補正方法】変更
【補正の内容】
【００１１】
本発明に係る逆入力遮断クラッチは、
「回転力が入力される入力軸と、
回転力を出力する出力軸と、
前記入力軸に入力が与えられると前記出力軸にその入力の伝達を許可し、前記出力軸から逆入力が与えられると前記入力軸にその逆入力の伝達を阻止する伝達機構部と、
前記伝達機構部を収容する固定されたハウジング部材と、を備える逆入力遮断クラッチであって、
前記伝達機構部には、焼結部材で円筒状に成形され、前記ハウジングに回転可能に支持される外輪部材が設けられるとともに、前記外輪部材を取り巻いてその外周面に接触し、前記ハウジング部材に端部が係止されるコイルバネが設けられ、かつ、前記外輪部材の外周面には、その表面粗さを算術平均粗さ（Ｒａ）において０．８μｍ以下とする表面加工が施され、
前記外輪部材の内部には、前記入力軸に結合された入力係合部と、前記出力軸に結合されて前記外輪部材の内周面と対向する斜面が形成された出力係合部と、前記出力係合部と前記外輪部材の内周面の間に配置された転動部材とが収容され、かつ、前記入力係合部の周方向の両側面は、一方が径方向内側に凸部を有していて前記出力係合部のみに当接可能であり、他方が径方向外側に凸部を有していて前記出力係合部及び前記転動部材に当接可能であるよう非対称に形成されており、
前記伝達機構部は、前記出力軸からの逆入力の伝達を阻止している状態で、前記出力軸の逆入力と同方向の入力が前記入力軸に与えられたときは、前記入力係合部の一方の側面が前記出力係合部に当接し、その入力により、前記転動部材と前記外輪部材とが当接したまま、前記外輪部材を前記コイルバネの摩擦力に打ち勝って回転させて、前記出力軸を前記外輪部材と一体的に回転させる一方、
前記出力軸の逆入力と逆方向の入力が前記入力軸に与えられたときは、前記入力係合部の他方の側面が前記出力係合部及び前記転動部材に当接し、前記転動部材と前記外輪部材との当接が解除されて、その入力により、前記出力軸を前記入力軸から直接的に回転させる」
ことを特徴とする。
【手続補正３】
【補正対象書類名】明細書
【補正対象項目名】００１８
【補正方法】変更
【補正の内容】
【００１８】
これにより、出力軸１３からの逆入力を阻止している状態で、出力軸１３の逆入力と同方向の入力（トルク）が入力軸１２に与えられたときは、外輪部材１４に働くトルクが上記の所定値を超え、外輪部材１４はコイルバネ１９の摩擦力に抗して回転する。外輪部材１４の内部に設置された出力軸１３は、転動部材１７がロック状態であるので、外輪部材１４と一体に回転する。一方、出力軸１３からの逆入力を阻止している状態で、出力軸１３の逆入力と逆方向の入力が入力軸１２に与えられたときは、その入力を直接的に出力軸１３に伝達する（後述の図２の説明参照）。
このように、この実施形態の逆入力遮断クラッチでは、出力軸１３に下向きの負荷荷重による逆入力が作用しても、それのみではロック状態が解除しないため、負荷の断続的な下向き移動を防止できる。
【手続補正４】
【補正対象書類名】明細書
【補正対象項目名】００２１
【補正方法】変更
【補正の内容】
【００２１】
ここで、本発明の実施形態に係る逆入力遮断クラッチ１１の動作について、図２により詳細に説明する。図２（ａ）は、入力軸１２にも出力軸１３にも回転力が加わっていない静止状態のときの転動部材１７、入力係合部１２Ｂ、出力係合部１３Ｂの位置関係の説明図である。また、図２（ｂ）は、出力軸１３に時計方向の回転力が加わった状態のときの位置関係の説明図、図２（ｃ）は、出力軸１３に時計方向の回転力が加わり出力軸１３からの逆入力を阻止している状態で、出力軸１３の逆入力と同方向（時計方向）の入力が入力軸１２に与えられたときの位置関係の説明図、図２（ｄ）及び図２（ｅ）は、出力軸１３に時計方向の回転力が加わり出力軸１３からの逆入力を阻止している状態で、出力軸１３の逆入力と逆方向（反時計方向）の入力が入力軸１２に与えられたときの位置関係の説明図である。
【国際調査報告】
2015137231.tif 000007
2015137231.tif 000008
2015137231.tif 000009
2015137231.tif 000010